(57)【特許請求の範囲】
【請求項１】
屋根上に複数の太陽電池モジュールを段状に並べて形成される屋根構造であって、
軒側に位置する前記太陽電池モジュールの一部に対して、棟側に位置する前記太陽電池モジュールが重なった状態となっており、
軒側に位置する前記太陽電池モジュールの少なくとも１つには、棟側の縁部分に緩衝部材が取り付けられており、
前記緩衝部材の少なくとも一部は、軒側に位置する前記太陽電池モジュールと、棟側に位置する前記太陽電池モジュールの重なる部分であって、軒側に位置する前記太陽電池モジュールの受光面側に位置する面と、棟側に位置する前記太陽電池モジュールの裏面の間に位置しており、
軒側に位置する前記太陽電池モジュールの棟側部分と、棟側に位置する前記太陽電池モジュールの軒側部分とを保持可能であり、軒側に位置する前記太陽電池モジュールの棟側部分の上側に、棟側に位置する前記太陽電池モジュールの軒側部分を位置させ、これらが平面視したときに重なる状態で２つの前記太陽電池モジュールを固定する固定金具を備え、
軒側に位置する前記太陽電池モジュールの棟側部分では、前記緩衝部材と前記固定金具が所定の間隔を空けて並列した状態となっていることを特徴とする屋根構造。
【請求項２】
前記太陽電池モジュールは、板状に形成された太陽電池パネルを有し、
前記緩衝部材は、前記太陽電池パネルの受光面側に位置する面の一部を覆う上側部と、前記太陽電池パネルの端面の一部を覆う側方部と、前記太陽電池パネルの裏面の一部を覆う下側部を備え、
前記側方部には、前記太陽電池パネルの端面に向かって突出する突出部が複数設けられ、複数の前記突出部は所定の間隔を空けて並列しており、
前記突出部の間に溝状の空間が形成されていることを特徴とする請求項１に記載の屋根構造。
【請求項３】
前記太陽電池モジュールは、板状に形成された太陽電池パネルを有し、
前記緩衝部材は、前記太陽電池パネルの受光面側に位置する面の一部を覆う上側部と、前記太陽電池パネルの端面の一部を覆う側方部と、前記太陽電池パネルの裏面の一部を覆う下側部を備え、
前記上側部と前記下側部は、前記太陽電池パネルを挟んで互いに対面しており、
前記上側部と前記下側部には、前記太陽電池パネルに近づく方向に突出する突条部が形成されており、
前記上側部に形成された突条部は、前記下側部に向かう方向であり、且つ、前記側方部に向かう方向となる斜め方向に突出し、
前記下側部に形成された突条部は、前記上側部に向かう方向であり、且つ、前記側方部に向かう方向となる斜め方向に突出するものであり、
前記上側部に形成された前記突条部と、前記下側部に形成された前記突条部とが間に前記太陽電池パネルを介在させた状態で対向していることを特徴とする請求項１又は２に記載の屋根構造。
【請求項４】
前記上側部及び前記下側部は長板状となっており、
前記上側部及び前記下側部には、それぞれ複数の前記突条部が形成され、前記上側部及び前記下側部の短手方向で所定の間隔を空けて並列しており、
前記突条部は、いずれも前記上側部及び前記下側部の長手方向に延びていることを特徴とする請求項３に記載の屋根構造。
【発明の詳細な説明】
【技術分野】
【０００１】
本発明は、太陽電池パネルを取り付けて形成される屋根構造に関するものである。
【背景技術】
【０００２】
近年、環境意識の高まりから、新たなエネルギー源として太陽電池モジュールが注目されている。この太陽電池モジュールは、光エネルギーを電気エネルギーに変換可能な光電変換装置である太陽電池パネルを備えた構造となっている。
この太陽電池パネルでは、透明電極層と、裏面電極層と、これら２つの電極層に挟まれた光電変換素子とを備えており、この光電変換素子を備えた光電変換層がガラス板と、バックシート又はガラス等により形成された裏面封止材によって挟まれた状態で封止されている。そして、この光電変換層に光が照射されることで発生するキャリアを電極層に収集して外部回路に取り出すことが可能となっている。
【０００３】
このような太陽電池モジュールは、従来、建屋の屋根上に直接又は金具等を介して取り付けたり、平坦な地面に設置した架台上に取り付けたりしている。
例えば、本件出願人の出願に係る特許文献１には、スレート瓦と一体に取り付けた金具を介し、太陽電池モジュールを屋根上に取り付けた屋根構造が開示されている。
【先行技術文献】
【特許文献】
【０００４】
【特許文献１】特開２０１１−１６３０６０号公報
【発明の概要】
【発明が解決しようとする課題】
【０００５】
ここで、太陽電池モジュールには、外周部分にフレームを取り付けたものと、このフレームを取り付けないフレームレス型のものがある。フレームレス型の太陽電池モジュールは、小型軽量なため取付作業が容易であり、外観に優れるという利点がある。
【０００６】
その一方、フレームレス型の場合、太陽電池モジュールの強度が弱くなってしまうという問題が考えられる。
例えば、太陽電池モジュールの縁端に金属で補強する部分が無いことから、積雪荷重等によって太陽電池モジュールが撓みやすくなることが考えられる。この場合、撓んだ太陽電池モジュールが下方に位置する他の太陽電池モジュールや屋根部材に接触すると、撓んだ太陽電池モジュールや下方に位置する他の太陽電池モジュールが破損してしまうおそれがある。すなわち、強度が弱くなることから、変形し易くなり、且つ、他部材との接触等で破損しやすくなってしまう可能性がある。
【０００７】
そこで本発明は、取り付ける太陽電池モジュールをフレームレスの構造とした場合においても、破損の発生を抑制可能な屋根構造を提供することを課題とする。
【課題を解決するための手段】
【０００８】
上記課題を解決するための請求項１に記載の発明は、屋根上に複数の太陽電池モジュールを段状に並べて形成される屋根構造であって、軒側に位置する前記太陽電池モジュールの一部に対して、棟側に位置する前記太陽電池モジュールが重なった状態となっており、軒側に位置する前記太陽電池モジュールの少なくとも１つには、棟側の縁部分に緩衝部材が取り付けられており、前記緩衝部材の少なくとも一部は、軒側に位置する前記太陽電池モジュールと、棟側に位置する前記太陽電池モジュールの重なる部分であって、軒側に位置する前記太陽電池モジュールの受光面側に位置する面と、棟側に位置する前記太陽電池モジュールの裏面の間に位置しており、軒側に位置する前記太陽電池モジュールの棟側部分と、棟側に位置する前記太陽電池モジュールの軒側部分とを保持可能であり、軒側に位置する前記太陽電池モジュールの棟側部分の上側に、棟側に位置する前記太陽電池モジュールの軒側部分を位置させ、これらが平面視したときに重なる状態で２つの前記太陽電池モジュールを固定する固定金具を備え、軒側に位置する前記太陽電池モジュールの棟側部分では、前記緩衝部材と前記固定金具が所定の間隔を空けて並列した状態となっていることを特徴とする屋根構造である。
【０００９】
本発明の屋根構造では、緩衝部材が軒側に位置する太陽電池モジュールと、棟側に位置する太陽電池モジュールの重なる部分であり、軒側に位置する太陽電池モジュールの受光面側に位置する面と、棟側に位置する太陽電池モジュールの裏面の間に位置している。
このため、重なり部分で上側に位置する太陽電池モジュールが撓んだ状態となっても、下側に位置する太陽電池モジュールに接触することがない。すなわち、上方棟側に位置する太陽電池モジュールの裏面が、下方軒側に位置する太陽電池モジュールの受光面側の面と接触することがない。このことにより、太陽電池モジュールの他部材への接触に起因する破損を防止できる。
さらに、緩衝部材を重なり部分に配することにより、緩衝部材を奥まった位置に取り付けることが可能となる。このことから、緩衝部材を取り付け時に外部から目視できない状態とすることができる。すなわち、緩衝部材が周辺部分よりも際立って見えたりすることがなく、屋根の外観を美しくすることができる。
加えて、緩衝部材を重なり部分に配することにより、緩衝部材が直射日光や風雨にさらされない構造とすることができる。このため、経年使用時における劣化を抑制することが可能となっている。
【００１０】
本発明は、軒側に位置する前記太陽電池モジュールの棟側部分と、棟側に位置する前記太陽電池モジュールの軒側部分とを保持可能であり、軒側に位置する前記太陽電池モジュールの棟側部分の上側に、棟側に位置する前記太陽電池モジュールの軒側部分を位置させ、これらが平面視したときに重なる状態で２つの前記太陽電池モジュールを固定する固定金具を備え、軒側に位置する前記太陽電池モジュールの棟側部分では、前記緩衝部材と前記固定金具が所定の間隔を空けて並列した状態となっている。
【００１１】
かかる構成によると、軒側に位置する太陽電池モジュールと、棟側に位置する太陽電池モジュールの重なり部分に固定金具の大部分と、緩衝部材とを配置することができる。すなわち、固定金具と緩衝部材を外部から目視した際に目立ち難くすることが可能となり、屋根の外観を美しくすることができる。
【００１２】
請求項２に記載の発明は、前記太陽電池モジュールは、板状に形成された太陽電池パネルを有し、前記緩衝部材は、前記太陽電池パネルの受光面側に位置する面の一部を覆う上側部と、前記太陽電池パネルの端面の一部を覆う側方部と、前記太陽電池パネルの裏面の一部を覆う下側部を備え、前記側方部には、前記太陽電池パネルの端面に向かって突出する突出部が複数設けられ、複数の前記突出部は所定の間隔を空けて並列しており、前記突出部の間に溝状の空間が形成されていることを特徴とする請求項１に記載の屋根構造である。
【００１３】
かかる構成によると、突出部の間に形成される溝状の空間を排水溝として機能させることが可能となる。このことにより、緩衝部材を太陽電池パネルに取り付けたとき、緩衝部材と太陽電池パネルの間に雨水等が溜まり難くすることができる。
【００１４】
請求項３に記載の発明は、前記太陽電池モジュールは、板状に形成された太陽電池パネルを有し、前記緩衝部材は、前記太陽電池パネルの受光面側に位置する面の一部を覆う上側部と、前記太陽電池パネルの端面の一部を覆う側方部と、前記太陽電池パネルの裏面の一部を覆う下側部を備え、前記上側部と前記下側部は、前記太陽電池パネルを挟んで互いに対面しており、前記上側部と前記下側部には、前記太陽電池パネルに近づく方向に突出する突条部が形成されており、前記上側部に形成された突条部は、前記下側部に向かう方向であり、且つ、前記側方部に向かう方向となる斜め方向に突出し、前記下側部に形成された突条部は、前記上側部に向かう方向であり、且つ、前記側方部に向かう方向となる斜め方向に突出するものであり、前記上側部に形成された前記突条部と、前記下側部に形成された前記突条部とが間に前記太陽電池パネルを介在させた状態で対向していることを特徴とする請求項１又は２に記載の屋根構造である。
【００１５】
かかる構成によると、太陽電池パネルに緩衝部材を取り付け易く、外れ難くすることができる。
【００１６】
この構成では、前記上側部及び前記下側部は長板状となっており、前記上側部及び前記下側部には、それぞれ複数の前記突条部が形成され、前記上側部及び前記下側部の短手方向で所定の間隔を空けて並列しており、前記突条部は、いずれも前記上側部及び前記下側部の長手方向に延びていることがより好ましい（請求項４）。
【発明の効果】
【００１７】
本発明によると、取り付ける太陽電池モジュールをフレームレスの構造とした場合においても、破損の発生を抑制することができる。
【図面の簡単な説明】
【００１８】
【図１】本発明の実施形態に係る屋根構造を示す斜視図である。
【図２】図１の屋根構造で採用するスレート瓦の一例を示す斜視図である。
【図３】図１の太陽電池モジュールを受光面側からみた様子を示す斜視図である。
【図４】図１の太陽電池モジュールを裏面側からみた様子を示す斜視図である。
【図５】図３で示される緩衝部材を示す斜視図である。
【図６】図３の太陽電池モジュールのＡ−Ａ断面を示す断面斜視図であり、緩衝部材の近辺を拡大して示す。
【図７】図１の屋根構造で採用する中間取付金具を示す斜視図である。
【図８】図７の中間取付金具を示す分解斜視図である。
【図９】図７の中間取付金具を示す断面図である。
【図１０】図７の中間取付金具を別方向からみた様子を示す斜視図である。
【図１１】本実施形態の屋根構造の施工手順を示す斜視図であり、屋根下地の軒先に軒先取付け金具を取り付け、軒側第１段目のスレート瓦を装着した状態を示す斜視図である。
【図１２】図１１で示される工程に続く工程を示す説明図であり、軒側第２段目のスレート瓦を中間取付金具と共に固定する様子を示す。
【図１３】軒側第２段目のスレート瓦が中間取付金具と共に固定された様子を示す断面図である。
【図１４】図１２，１３の工程に続く工程を示す説明図であり、中間取付金具の第１凹部に軒側第３段目のスレート瓦を挿入する様子を示す。
【図１５】軒側第３段目のスレート瓦が固定された様子を示す断面図である。
【図１６】基礎屋根構造を示す斜視図である。
【図１７】軒先取付金具の保持部に軒側第１段目の太陽電池モジュールの軒側辺を挿入する様子を示す説明図である。
【図１８】図１７で示される状態から、軒側第１段目の太陽電池モジュールの軒側辺を保持部に挿入し、棟側辺を中間取付金具（固定部構成部材）の上に載置した様子を示す断面図である。
【図１９】図１８で示される状態から、軒側第１段目の太陽電池モジュールのケーブル配線を行った状態を示す斜視図である。
【図２０】図１９で示される状態から、軒側第２段目の太陽電池モジュールの軒側辺を軒側第１段目の中間取付金具の第３凹部に挿入する様子を示す断面図である。
【図２１】図２０で示される状態から、軒側第２段目の太陽電池モジュールの軒側辺を軒側第１段目の中間取付金具の第３凹部に挿入し、棟側辺を第２段目の中間取付金具（固定部構成部材）の上に載置した様子を示す斜視図である。
【図２２】軒側第２段目の太陽電池モジュールを固定した状態で、軒側第２段目の太陽電池モジュール軒側部分の一部を破断させて示す一部破断斜視図である。
【図２３】軒側第１段目の太陽電池モジュールに取り付けられた緩衝部材及びその近傍を軒棟方向に切断した切断部端面図である。
【発明を実施するための形態】
【００１９】
以下、本発明の実施形態に係る屋根構造１について図面を参照しつつ詳細に説明する。なお、以下の説明において、前後方向、上下方向、並びに左右方向は、特に断りのない限り図１で示される通常の設置状態を基準として説明する。
【００２０】
本実施形態の屋根構造１は、図１で示されるように、スレート瓦２で葺かれた基礎屋根構造３の上に、太陽電池モジュール４が軒先取付金具５と中間取付金具６（固定金具）を介して固定されたものである。また、この屋根構造１の必要部分には、部分的に雨仕舞板１１が設置されている。
【００２１】
スレート瓦２は、図２で示されるように、切り出した天然石やセメント等によって形成された略長方形平板状の部材である。より詳細には、４隅のうち、設置時に棟側となる２つの隅部分の近傍を切り落としたような薄板状の部材となっている。
このスレート瓦２には、短手方向の中心近傍に、予め、取付孔１２が一列に４個設けられている。本実施形態では、取付孔１２の間隔は均等ではなく、中央の２個の取付孔１２，１２の間隔が他の孔同士の間隔よりも広くなっている。
【００２２】
太陽電池モジュール４は、図３、図４で示されるように、太陽電池パネル１０の裏面に補強断熱材１３、端子ボックス１４を取り付けると共に、太陽電池パネル１０の側端の一部にサイドガスケット１６を取り付けて形成されている。また、この太陽電池モジュール４の棟側辺（図３、図４の上側辺）には、緩衝部材１７が取り付けられている。
【００２３】
この太陽電池モジュール４は、太陽電池パネル１０の縁端部分にフレームを装着しない構造、すなわち、フレームレス構造となっている。より詳細には、太陽電池パネル１０の厚さが３ｍｍ〜７ｍｍ程度となる薄型のフレームレス構造となっている。
そして、端子ボックス１４から、正極側ケーブル１９と負極側ケーブル２０からなる２本のケーブルが延設されている。この正極側ケーブル１９の延設端には、正極コネクタ２１が一体に形成されており、負極側ケーブル２０の延設端には、負極コネクタ２２が一体に形成されている。
【００２４】
太陽電池パネル１０は、図３で示されるように、正面視した形状が略横長長方形状となっており、樹脂又はガラス等によって形成された裏面封止材と、受光面を形成するガラス基板の間に太陽電池セル２５を複数枚封止して形成されている。
【００２５】
太陽電池セル２５は、略正方形板状の部材であり、光エネルギーを電気エネルギーに変換する光電変換素子を備えたものである。本実施形態では、半導体基板の上に半導体層を積層させ、光電変換素子を形成したものを採用している。
この太陽電池セル２５では、表面側にバスバー電極が設けられており、裏面側に裏面側電極が形成されている。このバスバー電極と裏面側電極は、それぞれ太陽電池セル２５の正極側電極及び負極側電極を形成する部分である。
【００２６】
この太陽電池セル２５は、裏面封止材とガラス基板の間に行列状に配され、封止された状態となっている。すなわち、本実施形態の太陽電池モジュール４は、複数枚の太陽電池セル２５を備えた構造となっている。
より具体的には、太陽電池パネル１０の長手方向に沿って延びるセル列が２列形成されており、これらが太陽電池パネル１０の短手方向で所定の間隔を空け、互いに平行になるように延びている。そして、各々のセル列では、複数枚の太陽電池セル２５が所定間隔を空けて一直線状に配置されており、隣接する太陽電池セル２５が電気的に接続された状態となっている。
【００２７】
すなわち、隣接配置される２つの太陽電池セル２５は、一方の表面側に位置するバスバー電極と、他方の裏面側に位置する裏面側電極とが直接又は配線部材を介して間接的に接続された状態となっている。このことにより、隣接する太陽電池セル２５は、直列に接続された状態となっている。つまり、それぞれのセル列では、そのセル列に属する太陽電池セル２５が直列に接続された状態となっている。
さらに、この２つのセル列は、導電部材を介して直列に接続されている。つまり、太陽電池モジュール４の全ての太陽電池セル２５は、直列に接続された状態となっている。
【００２８】
また、２つのセル列のうち、一方側のセル列における正極側の出力端と、他方側のセル列における負極側の出力端からは、それぞれ配線部材（図示しない）が延設されている。
この２つの配線部材は、いずれもその延設端が端子ボックス１４の内部に引き込まれており、一方が正極側ケーブル１９と電気的に接続され、他方が負極側ケーブル２０と電気的に接続された状態となっている。
【００２９】
補強断熱材１３は、太陽電池モジュール４の強度と断熱性を確保するために取り付けられた発泡樹脂性の部材である。
【００３０】
この補強断熱材１３は、図４で示されるように、設置時に軒側に位置し、太陽電池パネル１０の長手方向に沿って延びた軒側部３８と、軒側部３８から棟側（図面の下方側から上方側）に延びる複数の延設部３９とを備えており、これらが一体に形成されている。
軒側部３８は、略横長直方体状の部分であり、太陽電池パネル１０の長手方向に沿って延びている。対して、延設部３９は、略縦長直方体状の部分であり、太陽電池パネル１０の短手方向に沿って延びている。
【００３１】
本実施形態では、４つの延設部３９が設けられており、太陽電池パネル１０の長手方向で所定の間隔を空けて配されている。そして、２つの延設部３９の間には、欠落部４１が形成されている。この欠落部４１は、３方が補強断熱材１３によって囲まれて棟側（図面の上方側）が開放された空間となっている。
【００３２】
本実施形態の太陽電池モジュール４では、裏面側に３つの欠落部４１が形成されている。詳細には、補強断熱材１３の長手方向における中心近傍に１つ目の欠落部４１が形成され、１つ目の欠落部４１よりも長手方向における片側端部よりの位置に２つ目の欠落部４１が形成され、他方端部よりの位置に３つ目の欠落部４１が形成されている。
【００３３】
軒側部３８のうち、欠落部４１の下方に位置する部分は、厚さが薄くなった薄肉部４２となっている。この欠落部４１と薄肉部４２が連続して形成される空間が、設置時にケーブル（正極側ケーブル１９、負極側ケーブル２０等）を配置するための空間として機能する。
【００３４】
外側に位置する２つの欠落部４１のうちの一方では、軒側部３８の棟側（図面の上方側）の一部を欠落させ、端子ボックス１４を配置するための空間を形成している。このため、端子ボックス１４の軒側端部側（図面の下方側に位置する部分）では、周囲の３方が軒側部３８によって囲まれた状態となっている。
【００３５】
この端子ボックス１４は、細長い略縦長直方体状の部材であり、その棟側壁面から正極側ケーブル１９と負極側ケーブル２０が外部に向かって延設されている。
ここで、２つのケーブル（正極側ケーブル１９、負極側ケーブル２０）は、その長さが異なっており、一方が他方に比べて長くなっている。より詳細には、太陽電池パネル１０の長手方向における端部のうち、端子ボックス１４の配置位置から比較的遠い位置にある端部側に向かって延設するケーブル（正極側ケーブル１９）の長さは、端子ボックス１４の配置位置に近接する端部側に向かって延設するケーブル（負極側ケーブル２０）の長さよりも短くなっている。
【００３６】
サイドガスケット１６は、太陽電池モジュール４の長手方向における両端部にそれぞれ取り付ける部材であり、詳細には、側端に位置する短辺の一部を覆うように取付ける部材である。つまり、図３で示されるように、サイドガスケット１６は、太陽電池パネル１０の側端部分のうち、太陽電池パネル１０の短手方向の中心近傍に取り付けられた状態となっている。
【００３７】
ここで、本実施形態の太陽電池モジュール４では、図３で示されるように、棟側辺（上側辺）のうち、長手方向における端部近傍に比較的長さの短い緩衝部材１７ａが取り付けられており、長手方向における中央付近に比較的長さの長い緩衝部材１７ｂが取り付けられている。これらは、同形であって長さのみが異なる部材であるので、一方のみの形状について説明し、他方については説明を省略する。
【００３８】
緩衝部材１７は、合成ゴム等の弾性体を加工して形成される部材であり、図５で示されるように、断面形状が略「コ」字状で延びる部材となっている。
この緩衝部材１７は、略長方形平板状の下板部６０（下側部）と、下板部６０の短手方向における一端側から上方に向かって突出する立板部６１（側方部）と、立板部６１の上端から軒側に向かって突出する略長方形平板状の上板部６２（上側部）とが一体に形成された部材である。
【００３９】
下板部６０は、その軒側端部に下側塊状部６５が設けられており、その上面に２つの突条部６６が形成されている。この２つの突条部６６は、下板部６０の短手方向（屋根上取り付け時における軒棟方向）で間隔を空けて並列している。すなわち、２つの突条部６６が下板部６０の短手方向で離れた位置にそれぞれ形成されている。
【００４０】
下側塊状部６５は、丸みを帯びた塊状の部分であり、下側から前側（軒側であり図５における左側）を経て上端に至るまで表面が曲線状に連続している。そして、この下側塊状部６５は、その厚さが周囲よりも厚くなっている。ここで、下側塊状部６５の下面は、下板部６０の他の部分の下面と同一平面を形成している。つまり、下側塊状部６５の上側部分は、下板部６０の上面で周囲よりも盛り上がった状態となっている。言い換えると、下側塊状部６５の上側部分は、上側に向かって凸となるように周囲の部分よりも隆起した状態となっている。
【００４１】
ここで、この下側塊状部６５の後側（棟側であり図５における右側）部分は、さらに後方に位置する下板部６０の上面と段差を介して連続している。
すなわち、下側塊状部６５の上側後方部分には、下板部６０の上面と略垂直に交わる壁状部６５ａが形成されている。この壁状部６５ａは、後側からみた形状が略長方形状の部分であり、下端部分が後方に位置する下板部６０の上面と連続し、上端部分が下側塊状部６５の上面と連続している。つまり、このように、下側塊状部６５の上側部分は、前方に位置する丸みを帯びた形状の部分と、後方に位置する直立壁状の部分とが一体に形成されている。
【００４２】
突条部６６は、下板部６０の上面から後方上側へ突出する薄板状の部分であり、下板部６０（緩衝部材１７）の長手方向に沿って延びている。より詳細には、下板部６０の長手方向における片側端部から、他方側端部に至るまで延びた状態となっている。
そして、この突条部６６の断面形状に注目すると、その突出端部分が丸みを帯びた形状となっている。より詳細には、この突条部６６は、基端側部分が先端側部分よりもやや厚くなっており、先細りした形状となっている。
【００４３】
立板部６１は、直立した姿勢の略長方形平板状の部分であり、下板部６０と上板部６２のそれぞれと連続している。すなわち、下端側は下板部６０と連続しており、上端側は上板部６２と連続している。そして、下板部６０、上板部６２のそれぞれと略垂直に交わった状態となっている。
【００４４】
ここで、立板部６１の軒側面（図５における右端面）には、高さ方向（上下方向）における略中央部分に２つの突出部６８が設けられている。この突出部６８は、高さ方向で僅かに離れた位置にそれぞれ形成されている。
【００４５】
突出部６８は、略長方形平板状の部分であり、立板部６１の軒側面から軒側に突出している。そして、この突出部６８は、その突出端部分が丸みを帯びた形状となっている。本実施形態では、２つの突出部６８が上下方向で僅かに間隔を空けて対向した状態となっている。すなわち、上側の突出部６８の下面と、下側の突出部６８の上面との間に小さな空間が形成されている。
【００４６】
上板部６２は、その軒側端部に上側塊状部７０が設けられている。また、その上面に２つの長溝部７１が形成され、その下面に２つの突条部６６が形成されている。
【００４７】
上側塊状部７０は、周囲よりも厚くなった部分であり、断面形状が略四角形状であって、軒側上端に位置する角部分が丸みを帯びた形状となっている。この上側塊状部７０の下側部分は、上板部６２の下面において、周囲よりも下方に向かって盛り上がった状態となっている。言い換えると、上側塊状部７０の下側部分は、下側に向かって凸となるように、周囲の部分よりも下方に隆起した状態となっている。
【００４８】
ここで、上側塊状部７０の後側（棟側であり図５における右側）部分もまた、さらに後方に位置する上板部６２の下面と段差を介して連続した状態となっている。
すなわち、上側塊状部７０の下側後方部分には、上板部６２の下面と略垂直に交わる壁状部７０ａが形成されている。この壁状部７０ａは、後側からみた形状が略長方形状の部分であり、上端部分が後方に位置する上板部６２の下面と連続し、下端部分が上側塊状部７０の下面と連続している。
【００４９】
長溝部７１は、断面形状が略長方形状で上板部６２の長手方向に沿って延びる部分であり、周囲よりも窪んだ部分となっている。この長溝部７１は、上板部６２の長手方向における片側端部から他方側端部までの間で延びた状態となっている。
【００５０】
本実施形態では、２つの長溝部７１が上板部６２の短手方向（屋根上取り付け時における軒棟方向）で間隔を空けて並列している。すなわち、２つの長溝部７１が上板部６２の短手方向で離れた位置にそれぞれ形成されている。
【００５１】
上板部６２に形成された突条部６６は、上記した下板部６０に形成された突条部６６と同形であるが、その突出方向が異なっている。すなわち、上板部６２の突条部６６は、後方下側へ突出する薄板状の部分となっている。
ここで、上板部６２の下面においても、２つの突条部６６が上板部６２の短手方向で離れた位置にそれぞれ形成された状態となっている。すなわち、２つの突条部６６が上板部６２の短手方向で離れた位置にそれぞれ形成されている。
【００５２】
この緩衝部材１７では、上板部６２と下板部６０が上下方向で間隔を空けて対向しており、上板部６２の一部である上側塊状部７０と、下板部６０の一部である下側塊状部６５もまた上下方向で間隔を空けて対向している。すなわち、上側塊状部７０と下側塊状部６５は、緩衝部材１７の前後方向（軒棟方向）における位置が同位置であり、いずれも軒側端部に位置している。そして、上側塊状部７０から下方に離れた位置に下側塊状部６５が位置した状態となっている。
【００５３】
また、上板部６２の２つの突条部６６のうち、軒側に位置する突条部６６の下方側には、下板部６０の２つの突条部６６のうち、軒側に位置する突条部６６が位置している。そして、上板部６２の２つの突条部６６のうち、棟側に位置する突条部６６の下方側には、下板部６０の２つの突条部６６のうち、棟側に位置する突条部６６が位置している。
すなわち、上板部６２に形成した突条部６６は、それぞれの下方に下板部６０に形成した突条部６６が位置している。つまり、上板部６２に形成した突条部６６のそれぞれは、下板部６０に形成したそれぞれ別の突条部６６と上下方向で離間対向した状態となっている。
【００５４】
そして、本実施形態では、上板部６２の厚さが下板部６０の厚さよりも厚くなっている。より具体的には、緩衝部材１７の長手方向に対して直交する断面における上板部６２の断面積と、同じ断面における下板部６０の断面積を比較したとき、上板部６２の断面積が下板部６０の断面積の１．３倍以上２倍以下となっている。
このとき、上板部６２の軒側端部（上側塊状部７０）と下板部６０の軒側端部（下側塊状部６５）とを比較すると、上板部６２の軒側端部が下板部６０の軒側端部よりも厚くなっている。また、上板部６２の他の部分と下板部６０の他の部分では、上板部６２の他の部分が厚くなっている。
【００５５】
この緩衝部材１７は、図６で示されるように、上板部６２と下板部６０の間に形成される空間に太陽電池モジュール４の棟側辺を位置させることで、太陽電池モジュール４に対して一体に取り付けられる。言い換えると、緩衝部材１７のうち、上板部６２と下板部６０の間に形成される空間は、軒側部分が開放された空間となっており、上側塊状部７０と下側塊状部６５の間の部分が太陽電池モジュール４の導入口として機能する部分となる。そして、太陽電池モジュール４（太陽電池パネル１０）に緩衝部材１７を取り付けると、太陽電池モジュール４の棟側部分が上板部６２と下板部６０で挟まれた状態となる。
【００５６】
より詳細には、上板部６２のうち、上側塊状部７０と、２つの突条部６６の下側部分が、太陽電池モジュール４（太陽電池パネル１０）の上面と接触した状態となっている。そして、上板部６２の他の部分と太陽電池モジュール４の上面の間には、隙間が形成された状態となっている。
同様に、下板部６０のうち、下側塊状部６５と、２つの突条部６６の上側部分が、太陽電池モジュール４（太陽電池パネル１０）の下面と接触した状態となっている。すなわち、下板部６０の他の部分と太陽電池モジュール４の下面の間にもまた、隙間が形成された状態となっている。
【００５７】
そして、立板部６１のうち、突出部６８の軒側部分が、太陽電池モジュール４（太陽電池パネル１０）の棟側端面と接触した状態となっている。このことにより、２つの突出部６８と、太陽電池パネル１０の棟側端面と、立板部６１の棟側面とに囲まれた空間である排水空間７５が形成されている。この排水空間７５は、緩衝部材１７の長手方向に延びる溝状の空間であり、設置時に軒棟方向と直交する方向、すなわち、建屋の棟と平行する方向に延びる空間となっている。
【００５８】
このように、排水のための空間である排水空間７５を形成することにより、本実施形態の緩衝部材１７は、太陽電池パネル１０と緩衝部材１７の間に雨水等が溜まり難い構造となっている。
また、立板部６１の軒側面のうち、突出部６８が形成されていない部分と、太陽電池モジュール４の棟側端面の間には、隙間が形成された状態となっている。
【００５９】
ここで、上記したように、緩衝部材１７は、太陽電池パネル１０の棟側から軒側に向かって近接させることで、太陽電池パネル１０に一体に取り付けられた状態となる。言い換えると、太陽電池パネル１０を緩衝部材１７に対して相対的に近づかせる、すなわち、相対的に棟側へと近接移動させることで、太陽電池パネル１０に緩衝部材１７が一体に取り付けられた状態となる。
つまり、太陽電池パネル１０の取り付け時の挿入方向は、軒側から棟側へ向かう方向であり、取り外し方向は棟側から軒側へ向かう方向であるといえる。
【００６０】
そして、上記したように、突条部６６は、その突出端が棟側に傾斜した状態となっている。すなわち、太陽電池パネル１０の挿入方向先端側に向かって傾斜した状態となっている。このことにより、緩衝部材１７は、太陽電池パネル１０に取り付け易く外れ難いものとなっている。
【００６１】
具体的に説明すると、太陽電池パネル１０に緩衝部材１７を取り付けるとき、すなわち、太陽電池パネル１０を緩衝部材１７の上板部６２と下板部６０の間に挿入した状態とするとき、太陽電池パネル１０を棟側に相対移動させると、それぞれの突条部６６が太陽電池パネル１０によって棟側に押されることとなる。このとき、それぞれの突条部６６が棟側に傾斜した状態となっていることから、太陽電池パネル１０によって押された突条部６６は、そのまま大きく傾斜した状態へ移行する。すなわち、予め傾斜していた突条部６６がそのまま大きく傾斜するため、突条部６６の変形に大きな力を必要としない。
【００６２】
これに対して、緩衝部材１７を太陽電池パネル１０から取り外すとき、太陽電池パネル１０を軒側に相対移動させることとなる。このとき、突条部６６は大きく傾斜した状態となっており、弾性によって元の形状に戻ろうとするので、上側の突条部６６は、太陽電池パネル１０を下側に押圧し、下側の突条部６６は、太陽電池パネル１０を上側に押圧している。言い換えると、太陽電池パネル１０が上下の突条部６６によって締め付けられた状態となっている。このため、緩衝部材１７を太陽電池パネル１０から取り外すときには、取り付け時よりも大きな力が必要となる。
このように本実施形態の緩衝部材１７は、取り付け易く、外れにくい構造となっている。
【００６３】
そして、このように太陽電池パネル１０を上下から締め付ける構造とし、上板部６２と太陽電池パネル１０の上面の間、立板部６１と太陽電池パネル１０の棟側端面の間、下板部６０と太陽電池パネル１０の下面の間に多数の隙間を形成すると、軒棟方向と直交する方向（緩衝部材１７の長手方向）には、容易に移動させることが可能となる。
つまり、図３、図４で示されるように、緩衝部材１７を太陽電池パネル１０に取り付けた状態で、緩衝部材１７を太陽電池パネル１０の長手方向にスライド移動させることを容易に実施可能となっている。
【００６４】
中間取付金具６は、図７、図８で示されるように、固定部構成部材１２０と、中間板部材１２１と、押さえ板部材１２２によって構成されている。
【００６５】
固定部構成部材１２０は、図８で示されるように、一枚板を折り曲げて作られたものであり、下板部材１２５と上板部材１２６を有し、両者が立上部１２７で接続された形状をしている。すなわち、下板部材１２５は平板状であり、その長手方向の前方側端部が１８０度折り返されて上板部材１２６を形成している。
【００６６】
下板部材１２５と上板部材１２６は、いずれも軒棟方向（前後方向）に延びており、上下方向で僅かに間隔を空けて離間対向している。上板部材１２６の長さは、下板部材１２５の長さよりも長くなっており、詳細には、２倍から３倍程度長くなっている。
【００６７】
上板部材１２６は、図８で示されるように、その一部が上方に凸となっており、比較的高さが低い低位置部と、比較的高さが高い高位置部とを有する構造となっている。より詳細には、前端側（軒側）の部分と後端側（棟側）の部分が低位置部となっており、その間の部分が高位置部となっている。
高位置部は、上板部材１２６の全体の３分の１から４分の１程度を占める部分であり、下板部材１２５に面した位置に形成されている。
【００６８】
また、高位置部よりも後端側に位置する低位置部には、ケーブル（正極側ケーブル１９、負極側ケーブル２０）を掛止するためのフック部１２８が形成されている。
このフック部１２８は、上板部材１２６に略「Ｕ」字状の切り込みを入れ、この切り込みを立ち上げて形成したものであり、いずれも高位置部側（軒側）側を向いている。
【００６９】
この上板部材１２６には、高位置部に２つの大開口孔１３０と２つの部材固定用孔１３１からなる４つの孔が形成されている。また、高位置部よりも後側に位置する低位置部には、２つの既設用孔１３２と２つの固定用孔１３３からなる４つの孔が形成されている。
【００７０】
より詳細に説明すると、高位置部では、２つの大開口孔１３０が左右方向で所定の間隔を並列しており、この２つの大開口孔１３０よりも前側（軒側）に位置する２つの部材固定用孔１３１もまた、左右方向で所定の間隔を並列している。このとき、２つの大開口孔１３０は、高位置部の左右方向における中心部分からの距離が等しくなっており、２つの部材固定用孔１３１もまた、高位置部の左右方向における中心部分からの距離が等しくなっている。そして、２つの大開口孔１３０の間の距離は、２つの部材固定用孔１３１の間の距離よりも長くなっている。
【００７１】
高位置部よりも後側に位置する低位置部では、前端近傍で２つの既設用孔１３２が左右方向で所定の間隔を並列しており、後端近傍で２つの固定用孔１３３が左右方向で所定の間隔を並列している。このうち、２つの固定用孔１３３は、いずれも軒棟方向（前後方向）に延びる長孔となっている。
【００７２】
ここで、下板部材１２５にもまた、４つの貫通孔１３４が設けられており、これらが２行２列に並列している。なお、図９に２つのみ図示し、他の２つについては図示を省略する。
これらの貫通孔１３４は、２つの大開口孔１３０の下方にそれぞれ１つずつと、２つの既設用孔１３２の下方にそれぞれ１つずつ形成されている。大開口孔１３０の下方に位置する貫通孔１３４は、その開口径が大開口孔１３０よりも小さくなっている。
【００７３】
中間板部材１２１は、図７乃至図９、図１０等で示されるように、一枚の板を階段状に折り曲げて作られたものである。
すなわち、この中間板部材１２１は、後方側から前方に向かって、第１平面板部１３５と、第１直立板部１３６と、第２平面板部１３７と、第２直立板部１３８とが順次設けられたものである。
【００７４】
第１平面板部１３５には、図１０で示されるように、長孔１３９が２個形成されている。この長孔１３９は、第１直立板部１３６の壁面に至るまで延びており、詳細には、第１平面板部１３５、第１直立板部１３６に亘って延びる長孔となっている。
第１直立板部１３６に形成された長孔１３９の一部は、背面視した形状が略長方形であり、その幅方向の長さが、同じ長孔１３９の第１平面板部１３５に形成された部分よりも長くなっている。
【００７５】
より具体的には、長孔１３９の第１直立板部１３６に形成された部分は、ねじ１４０の頭部が通過可能な大きさである。一方、第１平面板部１３５に形成された部分の幅は、ねじ１４０の首部分は通過可能であるけれども頭部の通過は不能である寸法に設計されている。
また、第２直立板部１３８には、図８で示されるように、２つの締結用孔１４１が設けられている。
【００７６】
押さえ板部材１２２は、断面形状が「Ｌ」字状の部材であり、正面板部１４３と折り返し部１４４が形成されている。この正面板部１４３には、締結用孔１４５が２個設けられている。
【００７７】
続いて、中間取付金具６の組み立て構造について説明する。
【００７８】
本実施形態の中間取付金具６は、図７、図１０で示されるように、中間板部材１２１が固定部構成部材１２０に載置され、さらに、中間板部材１２１に押さえ板部材１２２が取り付けられている。
【００７９】
すなわち、固定部構成部材１２０の高位置部に、中間板部材１２１の第１平面板部１３５を載置した状態で、長孔１３９にねじ１４０を挿通し、固定部構成部材１２０と中間板部材１２１を固定している。
【００８０】
なお、本実施形態では、図７で示されるように、長孔１３９が略垂直に交わる第１平面板部１３５と第１直立板部１３６に亘って延設されており、第１直立板部１３６に形成された部分の幅が、第１平面板部１３５に形成された部分の幅よりも広くなっている。そして、第１直立板部１３６に形成された部分では、ねじ１４０の頭部が通過可能となっている。
このため、ねじ１４０を緩め、ねじ１４０の頭部を第１平面板部１３５の上面から上方に離れた状態とすると、ねじ１４０を固定部構成部材１２０の部材固定用孔１３１に係合させた状態のままで、中間板部材１２１をスライド移動させて着脱することができる。
【００８１】
押さえ板部材１２２は、第２直立板部１３８の表面に正面板部１４３の裏面側を当接させ、第２直立板部１３８の締結用孔１４１と正面板部１４３の締結用孔１４５を重ね合わせた状態で、ねじ等の締結要素を挿通し、中間板部材１２１に固定した状態とする。
【００８２】
本実施形態の中間取付金具６は、図７、図９等で示されるように、第１凹部１５０、第２凹部１５１（棟側保持凹部）、第３凹部１５２（軒側保持凹部）を備えた構造となっている。
【００８３】
第１凹部１５０は、下板部材１２５と上板部材１２６によって構成され、後方側（棟側）に開口する凹部である。
第２凹部１５１は、上板部材１２６の一部とその上に位置する中間板部材１２１の一部によって構成され、第１凹部１５０とは反対方向に開口する凹部である。
第３凹部１５２は、中間板部材１２１の一部とその上に位置する押さえ板部材１２２によって構成され、第１凹部１５０と同方向に開口する凹部である。
すなわち、中間取付金具６には、中間取付金具６の一方側に開口する第１凹部１５０と、この第１凹部１５０と同方向に開口する第３凹部１５２と、この第１凹部１５０と反対方向に開口する第２凹部１５１とが形成されている。
【００８４】
なお、この中間取付金具６にもまた、太陽電池パネル１０を保持する部分にパネル保護部材が取り付けられている。すなわち、第２凹部１５１と第３凹部１５２それぞれの立壁面と天井面がパネル保護部材に覆われた状態となっている。
これらのパネル保護部材もまた、金具との接触による太陽電池パネル１０の損傷を防止する保護部材として機能するだけでなく、太陽電池パネル１０と金具の間に雨水等が浸入することを防止するシール材としても機能する。
【００８５】
続いて、本実施形態の屋根構造１の施工方法について、図面を参照しつつ詳細に説明する。
【００８６】
本実施形態の屋根構造１は、屋根下地を形成し、その上にスレート瓦２を列状及び複数段状に並べていく。すなわち、屋根下地の上で平面的な広がりを持つように複数のスレート瓦２を載置した状態とする。そして、このスレート瓦２を載置する際に、並行して軒先取付金具５、中間取付金具６を取り付ける。
つまり、本実施形態では、太陽電池モジュール４の設置に先立って、基礎屋根構造３を構築する。
【００８７】
まず、図１１で示されるように、屋根下地の軒先に軒先水切（図示しない）を取り付け、その上に軒先取付金具５を載置する。
ここで、本実施形態では、複数の軒先取付金具５を屋根下地に取り付けている。このように複数の軒先取付金具５を取り付ける場合には、正面側から見たときに隙間ができないように、左右方向（並列方向）の間隔を詰めて配置された状態とする。
【００８８】
そして、軒側第１段目のスレート瓦２ａを取り付ける。なお、本実施形態では、軒側第１段目のスレート瓦２ａを２枚重ねた状態で取り付けている。すなわち、屋根下地上に下方に位置するスレート瓦２ａ−１を取り付け（図１１では図示しない、図１３等参照）、そのスレート瓦２ａ−１を覆うように上方に位置するスレート瓦２ａ−２を取り付けている。
【００８９】
なお、下方に位置するスレート瓦２ａ−１は、上方に位置するスレート瓦２ａ−２よりも軒棟方向の長さが短くなっている。このように、上方に位置するスレート瓦２ａ−２が下方に位置するスレート瓦２ａ−１よりも大きいことから、下方に位置するスレート瓦２ａ−１の全域が上方に位置するスレート瓦２ａ−２に覆われた状態となっている。言い換えると、下方に位置するスレート瓦２ａ−１は、外部に露出しない状態となっている。
また、下方のスレート瓦２ａ−１の取付孔１２は、上方のスレート瓦２ａ−２の取付孔１２よりも軒側に位置した状態となっている。言い換えると、下方のスレート瓦２ａ−１の取付孔１２と、上方のスレート瓦２ａ−２の取付孔１２とは軒棟方向でずれた位置に配されている。このことにより、下方のスレート瓦２ａ−１の取付孔１２は、上方に位置するスレート瓦２ａ−２の取付孔１２が形成されていない部分で覆われており、雨水等が浸入しない構造となっている。
【００９０】
さらに、図１２，図１３で示されるように、軒側第２段目のスレート瓦２ｂを取り付ける。
このスレート瓦２ｂは、先に敷設した軒側第１段目のスレート瓦２に対し、その一部を重ねた状態で配置する。そして、このスレート瓦２ｂの取付孔１２に釘等の締結要素を挿通して屋根下地に固定することとなるが、この工程と並行して中間取付金具６を取り付ける。
推奨される手順としては、図１２，１３で示されるように、中間取付金具６から中間板部材１２１を外した状態とし（図８等参照）、固定部構成部材１２０だけを予め固定することが好ましい。
【００９１】
より具体的には、図１３で示されるように、予め載置したスレート瓦２ｂに対して固定部構成部材１２０を載置し、下板部材１２５の４つの貫通孔１３４（図９参照）のうちで、上板部材１２６の大開口孔１３０の下方に位置する２つの貫通孔１３４のうちの一方を利用して取り付ける。すなわち、この下板部材１２５の貫通孔１３４と、スレート瓦２ｂの４つの取付孔１２のうちの一つとを重ね合わせた状態とし、これら２つの孔に釘等の締結要素を挿通する。
【００９２】
すなわち、下板部材１２５の上側には上板部材１２６が存在するが、下板部材１２５の貫通孔１３４の上部に相当する位置に大開口孔１３０が設けられており、この大開口孔１３０を通過させて締結要素を貫通孔１３４に挿通することができる。さらに大開口孔１３０は、貫通孔１３４よりも大きいので、ドライバーの回動作業も容易に実施できる。
【００９３】
そして、軒側第２段目のスレート瓦２ｂの固定が完了すると、図１４で示されるように、第３段目のスレート瓦２ｃを取り付ける。
第３段目のスレート瓦２ｃを取り付けるとき、図１５で示されるように、スレート瓦２ｃの軒側端部を中間取付金具６の第１凹部１５０に挿入した状態とする。そして、スレート瓦２ｃの軒側端部が、第１凹部１５０の内部に位置する下板部材１２５の貫通孔１３４を覆った状態となる。つまり、上板部材１２６の下部には、その全域に第３段目のスレート瓦２ｃが存在することとなる。
このことにより、貫通孔１３４への雨水の浸入を防止することができる。
【００９４】
この状態で、中間取付金具６の上板部材１２６の後端よりに設けられた固定用孔１３３のうちのいずれかと、第３段目のスレート瓦２ｃの取付孔１２とのいずれかを合致させ、両者にクギ等の締結要素を挿通して中間取付金具６を固定する。
【００９５】
この後、図１６で示されるように、４段目以降のスレート瓦２を取り付けていき、上記の場合と同様に、必要に応じてスレート瓦２と共に中間取付金具６（固定部構成部材１２０）を固定する。
このとき、中間取付金具６（固定部構成部材１２０）は、その棟側部分が棟側に位置するスレート瓦２に覆われた状態となる。このことにより、上板部材１２６の２つの固定用孔１３３がスレート瓦２に覆われた状態となり、固定用孔１３３からの雨水の浸入を防止することができる。また、軒側のスレート瓦２の取付孔１２が棟側のスレート瓦２によって覆われた状態となる。このことにより、取付孔１２からの雨水の浸入を防止することができる。
そして、軒側から棟に至るまでスレート瓦２を取り付けることで、屋根下地上にスレート瓦２の敷設が完了し、基礎屋根構造３が完成する。
【００９６】
続いて、基礎屋根構造３の上に太陽電池モジュール４を設置していく。また、推奨される手順として、太陽電池モジュール４を固定していく際に、太陽電池モジュール４の配線を実施することが望ましい。
【００９７】
太陽電池モジュール４の屋根上への固定は、軒側から順に実施される。したがって、まず、軒側第１段目の太陽電池モジュール４ａを固定する。
ここで、軒先取付金具５には、図１７で示されるように、上端近傍に保持部６３が設けられている。この保持部６３は、棟側部分が開放された状態となっており、軒側に向かって窪んだ部分となっている。
【００９８】
本実施形態では、図１７、図１８で示されるように、この軒先取付金具５の保持部６３に太陽電池モジュール４の軒側端部を嵌め込んだ状態とし、太陽電池モジュール４ａの棟側端部を２段目のスレート瓦２ｂと共に取り付けられた中間取付金具６ａ（固定部構成部材１２０）に載置する。
より詳細には、この固定部構成部材１２０の高位置部よりも前側（軒側）に位置する低位置部に、太陽電池モジュール４ａの棟側端部を載置する（図１８参照）。
【００９９】
そして、図１８で示されるように、太陽電池モジュール４ａの棟側端部を固定部構成部材１２０に載置したままの状態で、固定部構成部材１２０に中間板部材１２１と、押さえ板部材１２２とを取り付ける。
このことにより、太陽電池モジュール４ａは、軒側の辺が軒先取付金具５の保持部６３と係合し、棟側の辺が中間取付金具６ａの第２凹部１５１に係合するので、対向する両辺が保持され、基礎屋根構造３から離脱できない状態となる。
【０１００】
軒側第１段目の太陽電池モジュール４ａを取付けると、続いて、隣り合う太陽電池モジュール４ａの間でケーブルの配線を行う。すなわち、図１９で示されるように、隣接する太陽電池モジュール４の一方側の正極側ケーブル１９と、他方側の負極側ケーブル２０とを接続する。
なお、本実施形態では、中間取付金具６のフック部１２８に対し、配線し終えたケーブルを係合させている。このようにすることで、ケーブルの処理が容易となる。
【０１０１】
このとき、軒側第１段目の太陽電池モジュール４ａは、軒棟方向と直交する方向、すなわち、建屋の棟と平行する方向で並列した状態となっている。このとき、それぞれの太陽電池モジュール４ａは、その長手方向が軒棟方向と直交する方向となるように載置されている。
【０１０２】
ここで、上記したように太陽電池モジュール４ａの棟側辺には、緩衝部材１７が取り付けられている。そのため、図１９で示されるように、緩衝部材１７と、中間取付金具６ａとが、軒棟方向と直交する方向で直線状に並列した状態となっている。すなわち、緩衝部材１７の外側であり、建屋の棟と平行する方向で離れた位置に中間取付金具６ａが位置している。言い換えると、中間取付金具６ａの外側であり、建屋の棟と平行する方向で離れた位置に緩衝部材１７が位置した状態となっている。このように、緩衝部材１７と中間取付金具６ａとがそれぞれの所定間隔を空けて並列した状態となっている。
さらに具体的には、２つの中間取付金具６ａの間に１つ又は２つ（複数）の緩衝部材１７が位置した状態となっている。
【０１０３】
また、上記したように、緩衝部材１７は、太陽電池パネル１０からは外れにくいものの、軒棟方向と直交する方向（太陽電池パネル１０の長手方向）には、容易にスライド移動させることが可能となっている。このことから、緩衝部材１７と中間取付金具６ａとがそれぞれの所定間隔を空けて並列した状態において、緩衝部材１７を建屋の棟と平行する方向にスライド移動させ、位置調整をすることができる。すなわち、必要に応じて位置調整の実施が可能となっている。
【０１０４】
続いて、軒側２段目の太陽電池モジュール４ｂを敷設する。
軒側２段目の太陽電池モジュール４ｂは、その軒側辺と棟側辺の双方を中間取付金具６によって固定される。すなわち、太陽電池モジュール４ｂの軒側辺は、図２０で示されるように、軒側に位置する中間取付金具６ａの第３凹部１５２に挿入された状態となる。
【０１０５】
このとき、太陽電池モジュール４ｂの棟側辺は、上記した軒側１段目の太陽電池モジュール４ａと同様に、さらに棟側に位置する中間取付金具６ｂ（固定部構成部材１２０）に載置する（図２１参照）。そして、上記の場合と同様に、この状態で固定部構成部材１２０に中間板部材１２１と、押さえ板部材１２２とを取り付ける。このことにより、太陽電池モジュール４ｂの軒側辺が軒側に位置する中間取付金具６ａの第３凹部１５２と係合し、棟側辺が棟側に位置する中間取付金具６ｂの第２凹部１５１に係合するので、太陽電池モジュール４ｂの対向する両辺が保持され、基礎屋根構造３から離脱できない状態となる。
【０１０６】
以下同様に、必要に応じて軒側３段目以降の太陽電池モジュール４を設置していく。そして、いずれかの太陽電池モジュール４から延びるケーブルを、必要に応じて引込ケーブル（図示しない）に接続する。
また、所望の段数の設置を終えると、最も上段部の太陽電池モジュール４の棟側に雨仕舞板１１を設置する。
このことにより、本実施形態の屋根構造１が完成する（図１参照）。
【０１０７】
ここで、図２２で示されるように、軒側に位置する太陽電池モジュール４ａの棟側部分と、棟側に位置する太陽電池モジュール４ｂの軒側部分とは、平面視したとき重なった状態となっている。より詳細には、軒側に位置する太陽電池モジュール４ａの棟側部分は、上方に離れた位置に配される太陽電池モジュール４ｂの軒側部分によって覆われた状態となっている。そして、太陽電池モジュール４ａの棟側部分に位置する緩衝部材１７もまた、その全域が棟側に位置する太陽電池モジュール４ｂによって覆われており、外部に露出しない状態となっている。このことにより、緩衝部材１７が直射日光や雨風に晒されないので、緩衝部材１７の経年劣化を抑制できる。
【０１０８】
また、図２３で示されるように、軒側の太陽電池モジュール４ａに取り付けた緩衝部材１７の上板部６２と、棟側に位置する太陽電池モジュール４ｂの間に僅かな隙間が形成された状態となっている。
そして、軒側の太陽電池モジュール４ａに取り付けた緩衝部材１７の下板部６０と、スレート瓦２の間にも僅かな隙間が形成された状態となっている。
つまり、緩衝部材１７は、通常時において、上方に位置する太陽電池モジュール４ｂと、下方に位置するスレート瓦２に接触しない状態となっている。
【０１０９】
ここで、棟側の太陽電池モジュール４ｂの上に雪等が積もり、その荷重によって棟側の太陽電池モジュール４ｂが撓んでしまった場合について説明する。
この場合、太陽電池モジュール４ｂの軒側端部が下方側へ向かうように変形し、その裏面が緩衝部材１７の上板部６２の上面に当接することとなる。このことにより、上側の太陽電池モジュール４ｂにかかる荷重を、緩衝部材１７が取り付けられた下側の太陽電池モジュール４ａで受けることが可能となる。つまり、上側の太陽電池モジュール４ｂにかかる荷重を分散させることで、太陽電池モジュール４ｂの破損を防止することができる。
さらに、上側の太陽電池モジュール４ｂの裏面が下側の太陽電池モジュール４ａの上面（受光面と同一平面を形成する面）に直接接触することがないので、このような接触に起因する破損を防止できる。
【０１１０】
また、この状態からさらに上側の太陽電池モジュール４ｂに荷重かかった場合、下側の太陽電池モジュール４ａが撓んでしまうことが考えられる。
しかしながら、この場合は、太陽電池モジュール４ａの棟側端部が下方側へ向かうように変形し、緩衝部材１７の下板部６０がスレート瓦２と接触することとなる。すなわち、荷重を屋根面（スレート瓦２）で受けて分散させることが可能となるので、上側の太陽電池モジュール４ｂ、下側の太陽電池モジュール４ａの破損を防止することができる。
このとき、下側の太陽電池モジュール４ａがスレート瓦２に直接接触することがないので、このような接触に起因する破損を防止できる。
【符号の説明】
【０１１１】
１  屋根構造
４  太陽電池モジュール
１７  緩衝部材
６  中間取付金具（固定金具）
１０  太陽電池パネル
６０  下板部（下側部）
６１  立板部（側方部）
６２  上板部（上側部）
６６  突条部
６８  突出部
【図１】
0006511269.tif 000002
【図２】
0006511269.tif 000003
【図３】
0006511269.tif 000004
【図４】
0006511269.tif 000005
【図５】
0006511269.tif 000006
【図６】
0006511269.tif 000007
【図７】
0006511269.tif 000008
【図８】
0006511269.tif 000009
【図９】
0006511269.tif 000010
【図１０】
0006511269.tif 000011
【図１１】
0006511269.tif 000012
【図１２】
0006511269.tif 000013
【図１３】
0006511269.tif 000014
【図１４】
0006511269.tif 000015
【図１５】
0006511269.tif 000016
【図１６】
0006511269.tif 000017
【図１７】
0006511269.tif 000018
【図１８】
0006511269.tif 000019
【図１９】
0006511269.tif 000020
【図２０】
0006511269.tif 000021
【図２１】
0006511269.tif 000022
【図２２】
0006511269.tif 000023
【図２３】
0006511269.tif 000024